(57)【要約】【課題】本発明は、発光ダイオーを含む照明手段の絶縁不良、水蒸気付着による曇り、衝突破損が生じ難い洗濯機を提供することを目的とする。【解決手段】本発明は、上部に衣類出入用の外開口部を有する洗濯機の本体枠と、前記本体枠に開閉自在に設けられ、前記外開口部の開閉をする前記本体枠内が透視できる外蓋体と、前記本体枠内に置かれ、前記外開口部に対応する衣類出入用の内側第１開口を上部にもつ水受外槽と、前記水受外槽内に置かれ、内側第１開口内に位置する衣類出入用の内側第２開口を上部にもつ回転洗濯槽と、前記水受外槽に開閉自在に設けられ、前記内側第１開口、および前記内側第２開口の開閉をする前記回転洗濯槽内が透けて見える内蓋体を備えた洗濯機において、前記内蓋体の外から前記回転洗濯槽を照らす照明手段を設けたことを特徴とする。【選択図】図１
2008295941.tif 000002
【特許請求の範囲】
【請求項１】
上部に衣類出入用の外開口部を有する洗濯機の本体枠と、
前記本体枠に開閉自在に設けられ、前記外開口部の開閉をする前記本体枠内が透視できる外蓋体と、
前記本体枠内に置かれ、前記外開口部に対応する衣類出入用の内側第１開口を上部にもつ水受外槽と、
前記水受外槽内に置かれ、内側第１開口内に位置する衣類出入用の内側第２開口を上部にもつ回転洗濯槽と、
前記水受外槽に開閉自在に設けられ、前記内側第１開口、および前記内側第２開口の開閉をする前記回転洗濯槽内が透けて見える内蓋体を備えた洗濯機において、
前記内蓋体の外から前記回転洗濯槽を照らす照明手段を設けたことを特徴とする洗濯機。
【請求項２】
上部に衣類出入用の外開口部を有する洗濯機の本体枠と、
前記本体枠に開閉自在に設けられ、前記外開口部の開閉をする前記本体枠内が透視できる外蓋体と、
前記本体枠内に置かれ、前記外開口部に対応する衣類出入用の内側第１開口を上部にもつ水受外槽と、
前記水受外槽内に置かれ、内側第１開口内に位置する衣類出入用の内側第２開口を上部にもつ回転洗濯槽と、
前記水受外槽に開閉自在に設けられ、前記内側第１開口、および前記内側第２開口の開閉をする前記回転洗濯槽内が透けて見える内蓋体を備えた洗濯機において、
前記外蓋体に前記回転洗濯槽内を照らす照明手段を設けたことを特徴とする洗濯機。
【請求項３】
上部に衣類出入用の外開口部を有する洗濯機の本体枠と、
前記本体枠に開閉自在に設けられ、前記外開口部の開閉をする前記本体枠内が透視できる外蓋体と、
前記本体枠内に置かれ、前記外開口部に対応する衣類出入用の内側第１開口を上部にもつ水受外槽と、
前記水受外槽内に置かれ、内側第１開口内に位置する衣類出入用の内側第２開口を上部にもつ回転洗濯槽と、
前記水受外槽に開閉自在に設けられ、前記内側第１開口、および前記内側第２開口の開閉をする前記回転洗濯槽内が透け見える内蓋体と、
洗濯、脱水、および乾燥の運転工程を制御する制御手段と、
前記運転工程が実行されているときは、前記外蓋体の閉じた状態をロックするロック手段を備えた洗濯機において、
前記外蓋体に前記回転洗濯槽内を照らす照明手段を設けたことを特徴とする洗濯機。
【請求項４】
請求項１〜３の何れかに記載された洗濯機において、
前記外蓋体は、蝶番で折りたたみ自在に連結された二つの蓋部を有し、
前記蝶番が上方に上がるように前記外蓋体が折りたたまれた際に、前記二つの蓋部に挟まる内側位置に前記照明手段が存在することを特徴とする洗濯機。
【請求項５】
請求項１〜３の何れかに記載された洗濯機において、
前記照明手段が前記回転洗濯槽の回転中心線に対して前側に位置することを特徴とする洗濯機。
【請求項６】
請求項１〜３の何れかに記載された洗濯機において、
前記外蓋体は、前後に分割され、蝶番で折りたたみ自在に連結された前蓋部、および後蓋部を有し、
前記照明手段は前記前蓋部に配置したことを特徴とする洗濯機。
【請求項７】
請求項１〜３の何れかに記載された洗濯機において、
前記外蓋体は、奥側から手前側に向かって下る傾斜になっていることを特徴とする洗濯機。
【請求項８】
請求項１〜４の何れかに記載された洗濯機において、
前記照明手段は、前記外蓋体が開かれると消灯することを特徴とする洗濯機。
【請求項９】
請求項１〜４の何れかに記載された洗濯機において、
前記照明手段の消灯は、洗濯機の運転から所定時間経過後に行われることを特徴とする洗濯機。
【請求項１０】
請求項１〜４の何れかに記載された洗濯機において、
前記照明手段の点灯・消灯を指示する照明用スイッチボタンが前記本体枠の上部側に備わることを特徴とする洗濯機。
【発明の詳細な説明】
【技術分野】
【０００１】
本発明は、洗濯機の本体枠と、本体枠内に置かれ水受外槽と、水受外槽内に置かれる回転洗濯槽と、回転洗濯槽内を照らす照明手段を有する洗濯機に関するものである。
【背景技術】
【０００２】
ドラム内を照明装置で照らすドラム式洗濯機は、例えば、特開２００７−８２７８５号公報（特許文献１）に記載されている。
【０００３】
特許文献１に記載されているドラム式洗濯機は、照明用の発光ダイオードが水受外槽の開口部（衣類出入用の開口部）に設けられている。
【０００４】
【特許文献１】特開２００７−８２７８５号公報
【発明の開示】
【発明が解決しようとする課題】
【０００５】
上記の構成をもつドラム式洗濯機は、洗濯運転中に洗濯水や洗濯物が発光ダイオーに良く接触する。また、乾燥運転では高温高湿の状況カに置かれるので、発光ダイオーは絶縁不良、水蒸気付着による曇り、衝突破損等が懸念される。
【０００６】
本発明は、上記の課題に対処し、発光ダイオーを含む照明手段の絶縁不良、水蒸気付着による曇り、衝突破損が生じ難い洗濯機を提供することを目的とする。
【課題を解決するための手段】
【０００７】
本発明は、上部に衣類出入用の外開口部を有する洗濯機の本体枠と、前記本体枠に開閉自在に設けられ、前記外開口部の開閉をする前記本体枠内が透視できる外蓋体と、前記本体枠内に置かれ、前記外開口部に対応する衣類出入用の内側第１開口を上部にもつ水受外槽と、前記水受外槽内に置かれ、内側第１開口内に位置する衣類出入用の内側第２開口を上部にもつ回転洗濯槽と、前記水受外槽に開閉自在に設けられ、前記内側第１開口、および前記内側第２開口の開閉をする前記回転洗濯槽内が透けて見える内蓋体を備えた洗濯機において、前記内蓋体の外から前記回転洗濯槽を照らす照明手段を設けたことを特徴とする。
【発明の効果】
【０００８】
本発明によれば、内蓋体の外から回転洗濯槽を照らす照明手段を設けたので、発光ダイオーを含む照明手段の絶縁不良、水蒸気付着による曇り、衝突破損が生じ難い洗濯機を提供することができる。
【発明を実施するための最良の形態】
【０００９】
以下本発明の実施例について図面を引用して説明する。
【００１０】
ここで述べる実施例の洗濯機は、乾燥機能が付いた通称、縦型の洗濯機と称される。
【００１１】
図１、図２に沿って洗濯機の概要を説明する。
【００１２】
洗濯機の本体枠１０は、鋼板で形成された筐体１１と、合成樹脂で形成された下ベース１２と、合成樹脂で形成されたトップカバー１３を有する。
【００１３】
水受外槽２０は、合成樹脂で形成され有底円筒形状を有する。この水受外槽２０は、洗濯機の本体枠１０内に縦向きに置かれ、吊り棒（図示せず）で本体枠１０のトップカバー１３に支持される。吊り棒は、防振機構（ばね）を備え、この防振機構を介して水受外槽２０は、防振支持される。
【００１４】
回転洗濯槽３０は、ステンレス鋼板で形成され有底円筒形状を有し、周りに多数の脱水孔が設けられている。この回転洗濯槽３０は、水受外槽２０内に同心的に置かれ、高速で回転して脱水孔より遠心脱水が行なわれる。
【００１５】
洗濯物を攪拌して洗濯をする回転翼５０は、回転洗濯槽３０の内底に回転自在に備えられる。回転翼５０は、正転／逆転を繰り返して洗濯をする。また、乾燥運転でも回転翼５０は、正転／逆転を繰り返して乾燥が行なわれる。
【００１６】
洗濯用のモータ２００は、水受外槽２０の外底面に支持固定されている。モータ２００の回転軸に連結された減速機構、クラッチ機構を介して回転翼５０、回転洗濯槽３０に動力が伝達されるようになっている。
【００１７】
乾燥送風路２１０は、下側の一端がフレキシブルダクト２２０を介して水受外槽２０の底部に連通するように接続され、上側の他端が水受外槽２０の上部にフレキシブルダクト（図示せず）を介して接続される。
【００１８】
この乾燥送風路２１０は、送風手段や加熱手段を備え、乾燥用空気を加熱して送風するようになっている。乾燥用空気は、水受外槽２０の下部から乾燥送風路２１０に流入し、加熱手段で加熱され、送風手段で送られて水受外槽２０の上部から回転洗濯槽３０に送風される。
【００１９】
こうした乾燥送風路２１０、回転洗濯槽３０を循環する乾燥用空気の送風と、回転翼５０の撹拌回転によって洗濯物は乾燥される。
【００２０】
主制御基板３００、電力用制御基板４００は、洗濯機の本体枠１０の内底隅部に設けられる。表示基板８０は、本体枠１０の手前側上面に設けられる。主制御基板３００、電力用制御基板４００、表示基板８０はバスラインで接続される。
【００２１】
本体枠１０のトップカバー１３は、中央に衣類出入用の外開口部を有する。本体枠１０のトップカバー１３には、開閉自在なる外蓋体４０が設けられ、外開口部の開け閉めをする。図１は外蓋体４０の閉成状態、図２は外蓋体４０の開放状態を示している。
【００２２】
合成樹脂で形成された外蓋体４０は、前後に分割され、蝶番４１で折りたたみ自在に連結された前蓋部４２、および後蓋部４３を有する。前蓋部４２には取っ手が設けられ、この取っ手を使って外蓋体４０の開閉が行なわれる。
【００２３】
外蓋体４０の内側には、照明手段１００が備えられる。照明手段１００は、外部リード線１０４で表示基板８０に接続される。
【００２４】
外蓋体４０は、合成樹脂等の透明性の材料で作られた外透明窓４４を有する。外透明窓４４は、蝶番４１を境にして前蓋部４２、および後蓋部４３に亘って設けられている。この外透明窓４４より、回転洗濯槽３０内の洗濯状態を含めた本体枠１０内を覗くことができる。
【００２５】
水受外槽２０は、衣類出入用の内側第１開口を上部にもつ。この内側第１開口は本体枠１０の外開口部に対応するように設けられる。回転洗濯槽３０は、前記内側第１開口内に位置する衣類出入用の内側第２開口を上部にもつ。
【００２６】
水受外槽２０の上部には、内蓋体６０が開閉作動自在に設けられる。この内蓋体６０は、水受外槽２０の内側第１開口と回転洗濯槽３０の内側第２開口を同時に開け閉めする。
内蓋体６０の開閉は、外蓋体４０を開いて行う。
【００２７】
内蓋体６０は水受外槽２０の内側第１開口の気密／水密（シール）が保たれるように内側第１開口を閉成する。このシールにより、洗濯運転中に洗濯水が水受外槽２０の外部に飛散しない。また、乾燥運転中に高温の水蒸気や乾燥空気が水受外槽２０の外部に漏れない。
【００２８】
内蓋体６０は合成樹脂等の材料で形成された内透明窓７０を有する。内透明窓７０は内蓋体６０の中央および前側を占めるように設けられる。この内透明窓７０より回転洗濯槽３０内の洗濯状態等を覗くことができる。
【００２９】
内透明窓７０は、内蓋体６０を全体的に占める大きさにすることが可能である。前述した外蓋体４０の外透明窓４４も外蓋体４０全体を占める大きさにすることも可能である。
【００３０】
表示パネル部、表示基板、照明手段に関して、図３、図４、および図１、図２を引用して説明する。
【００３１】
外蓋体４０の前蓋部４２は、表示基板８０、表示パネル部９０、照明手段１００を有する。
【００３２】
表示基板８０は、表示や入力に関する制御をする制御回路を備えている。内側カバー８１は、表示基板８０を覆うようにして前蓋部４２に取り付けられる。この内側カバー８１は、照明手段１００をも覆う。
【００３３】
照明手段１００は、回転洗濯槽３０内や本体枠１０内を照らし、洗濯状態を見え易くする。
【００３４】
図１の図示上では、照明手段１００は、表示基板８０を支持する表示基板フレーム８２に取り付け固定される。照明手段１００は表示基板８０の右側に隣接するように配置される。照明手段１００の右隣側に外透明窓４４が、外透明窓４４の右隣側に蝶番４１が設けられる。
【００３５】
全体的に見ると、照明手段１００は外蓋体４０の中央よりも前側に位置する。また、前記回転洗濯槽３０との関係で云うと、回転洗濯槽３０／回転翼５０の回転中心線に対して前側に位置する。
【００３６】
照明手段１００の照明光は、図１に示すように、主に回転洗濯槽３０／回転翼５０の回転中心〜奥側（手前の反対側）にかけての範囲を照らす。
【００３７】
外蓋体４０は、図１に示すように、奥側から手前側に向かって下る傾斜になっている。言い換えると、手前側から奥側に向かって高くなる傾斜になっている。
【００３８】
このため、洗濯機の手前に立つ人が、回転洗濯槽３０／回転翼５０の回転中心〜奥側の範囲を見る目線と外蓋体４０の外透明窓４４との交差角が直角に近くなる。この結果、水平に置かれる外蓋体の外透明窓の場合に比べ、回転洗濯槽３０内が良く見え、洗濯状態の確認を良くできる。
【００３９】
また、照明手段１００が表示基板８０に隣接して置かれるので、表示基板フレーム８２を利用して取り付け固定される。照明手段１００を取り付け固定する支持部を別途設ける必要がなく、構成が簡単になる。照明手段１００への配線も表示基板８０の制御回路から引くことができるので容易である。
【００４０】
更に、照明手段１００は外蓋体４０に設けたので、水受外槽２０に設ける場合に比べ、受ける振動が少なく、振動対策上の構成が簡単で安価にできる。
【００４１】
また、照明手段１００は外蓋体４０に設けたので、水受外槽２０内に臨むところに置く場合に比べ、洗濯物が衝突する恐れがなく、照明手段１００の破損が免れる。
【００４２】
照明手段１００が備えられる外蓋体４０は、図２に示すように、蝶番４１が上方に上るように二つ蓋部が折りにたたまる。
【００４３】
すなわち、照明手段１００は折りたたまれた二つの蓋部の内側位置に置かれるので、内蓋体６０の開放にともない、乾燥運転での高温の水蒸気や熱気が回転洗濯槽３０内から放出されても照明手段１００にはかからなく、照明手段１００が絶縁不良や曇ったりすることが生じにくい。
【００４４】
なお、洗濯運転や乾燥運転では、水受外槽２０の内側第１開口が内蓋体６０により密閉されているので、高温の水蒸気や熱気はもちろん、洗濯水も照明手段１００にはかからない。
【００４５】
上記実施例は、外蓋体が前後二分割であるが、照明手段を折りたたまれた二つの蓋部の内側位置に置かれるのであれば、左右に分割の外蓋体であっても本発明は適用可能である。
【００４６】
照明手段１００は、図４に示すような構成を有している。
【００４７】
照明手段１００は、ＬＥＤの発光体１０１と、発光体１０１を保持する白色の照明ケース１０２と、コネクタ１０３が付いて外部リード線１０４を有する。
【００４８】
照明ケース１０２は、発光体１０１の光束を外に向けて導く光放射ガイド１０５、接続部１０６を有する。光放射ガイド１０５は、外側に向かった末広がりの形状（直線または放物線）になっている。光放射ガイド１０５の内表面は、光の反射が良好な金属系の表面処理を施して反射効率を向上させることが望ましい。
【００４９】
こうした集光度を高めたり、光反射を良くして照明手段１００の照射が高められる。
【００５０】
接続部１０６の内部では、発光体１０１のリード端子と外部リード線１０４の端子が加締め具１０８により接続される。接続部１０６の内部は、水分や湿気が浸入しない構造にして絶縁性を高めている。
【００５１】
照明手段１００は、図３に示すように、発光体１０１が回転洗濯槽３０／回転翼５０の回転中心〜奥側の範囲に向くように表示基板フレーム８２に取り付け固定される。コネクタ１０３は表示基板８０のソケット（図示せず）に差し込み接続される。
【００５２】
照明手段１００の発光体１０１の前側は、内側カバー８１に設けた透明の照明窓１０７でカバーされている。この照明窓１０７の保護により、発光体１０１に異物が当たるのを抑えている。
【００５３】
表示パネル部について、図５を引用して説明する。
【００５４】
表示パネル部９０は、各種のスイッチボタンが配置されている。主なものを挙げると、スタート一時停止スイッチボタン９１、洗濯スイッチボタン９２、洗乾スイッチボタン９３、乾燥スイッチボタン９４が配置される。これに加えて、照明用スイッチボタン９５が備えられる。
【００５５】
これらのスイッチボタンは、タクトスイッチを使用している。メンブレンスイッチを用いると、更に薄型化できる。このため、表示基板８０の上に重ねて外蓋体４０に設けるのに好適である。
【００５６】
照明用スイッチボタン９５の押圧操作により、照明手段１００の発光体１０１が点灯する。さらに照明用スイッチボタン９５を押すと、照明手段１００の発光体１０１が消灯するようになっている。
【００５７】
ブロックの制御回路について、図６を引用して説明する。
【００５８】
主制御回路３５０は、主制御基板３００に備わっている。電力用制御回路４５０は、電力用制御基板４００に備わっている。表示用制御回路８００は、表示基板８０に備わっている。
【００５９】
主制御回路３５０は、洗濯運転、および乾燥運転の全般にわたる制御や各種機器の制御をする。電力用制御回路４５０は、主制御回路３５０の指示下で電力用機器の制御をする。表示用制御回路８００は、主制御回路３５０の指示下で各種スイッチの信号を受けたり、表示ランプや照明手段を制御する。
【００６０】
主制御回路３５０は、蓋スイッチ３５１のオン・オフの信号を読み、洗濯機の運転を制御する。給水弁３５２、排水弁３５３、風呂水ポンプ３５４、クラッチ３５５、蓋ロック機構３５６が主制御回路３５０にて制御され、洗濯機の運転が実行される。
【００６１】
蓋ロック機構３５６（ロック手段）は、外蓋体４０の閉じた状態（閉成）を拘束（ロック）する。洗濯機の運転中は、蓋ロック機構３５６（ロック手段）の拘束により、外蓋体４０を不意に開けることができなく、安全である。
【００６２】
電力用制御回路４５０は電源スイッチ４５１がオンすると、主制御回路３５０、および表示用制御回路８００に電気が供給される。また、電力用制御回路４５０は、モータ２００、乾燥送風路２１０の加熱手段に備えるヒータ４５２に通電する。
【００６３】
表示用制御回路８００は、スタート一時停止スイッチボタン９１、洗濯スイッチボタン９２、洗乾スイッチボタン９３、乾燥スイッチボタン９４、照明用スイッチボタン９５のオン信号を読み、洗濯表示灯８０１、すすぎ表示灯８０２、脱水表示灯８０３、乾燥表示灯８０４、照明手段１００の発光体１０１を点灯したり、消灯を行なったりする。
【００６４】
照明手段の点灯／消灯に関するフローについて、図７を引用して説明する。
【００６５】
ステップ７００で電源スイッチ４５２が入れられる。照明用スイッチボタン９５が押されたか、否か（オン・オフ）をステップ７０１で判断し、押されないと照明手段１００の発光体１０１は消灯のままである。
【００６６】
ステップ７０１で照明用スイッチボタン９５が押されたと判断されると、次のステップ７０２に移る。ステップ７０２では外蓋体４０の開閉の有無が判定される。外蓋体４０の開閉は、蓋スイッチ３５１にて検知される。
【００６７】
蓋スイッチ３５１がオンして外蓋体４０の閉成がステップ７０２で確認されると、照明手段１００の発光体１０１は点灯する（ステップ７０３）。発光体１０１の点灯中には、ステップ７０４で電源スイッチ４５２のオン・オフが判定される。
【００６８】
ステップ７０４で、電源スイッチ４５２がオンと判定されと、発光体１０１の点灯は継続する。電源スイッチ４５２がオフしたと判定されると、発光体１０１は消灯する。
【００６９】
ステップ７０５では、外蓋体４０の開閉が判定され、ステップ７０４で電源スイッチ４５２がオンと判定されても、蓋スイッチ３５１がオフ（外蓋体４０が開く）すると、発光体１０１は消灯する。
【００７０】
ステップ７０６では、照明用スイッチボタン９５の再操作が判定され、ステップ７０５で蓋スイッチ３５１がオンと判定されても、照明用スイッチボタン９５が再度押されてオンすると、発光体１０１は消灯する。
【００７１】
ステップ７０７では、照明用スイッチボタン９５が再度押されなくても、発光体１０１の点灯から時間が５分経過すると、発光体１０１の消灯が指示される。経過の時間は、５分以外の時間に定めても良い。
【００７２】
このように、照明手段１００の発光体１０１の点灯・消灯は、照明用スイッチボタン９５の操作、および外蓋体４０の開閉や時間経過に関係して行なわれる。
【００７３】
洗濯状態を見たいときに、照明用スイッチボタン９５の操作で回転洗濯槽３０内を明るく照らしだすことができるので使い勝手が良い。
【図面の簡単な説明】
【００７４】
【図１】本発明の実施例にかかわるもので、洗濯機の縦断面で外蓋体を閉じた状態を示している。
【図２】本発明の実施例にかかわるもので、洗濯機の縦断面で外蓋体を開いた状態を示している。
【図３】本発明の実施例にかかわるもので、表示パネル部、表示基板、照明手段を拡大して示した図である。
【図４】本発明の実施例にかかわるもので、照明手段の拡大図である。
【図５】本発明の実施例にかかわるもので、表示パネル部の真上から見た平面図である。
【図６】本発明の実施例にかかわるもので、ブロック化した制御回路を示す図である。
【図７】本発明の実施例にかかわるもので、照明手段の点灯、消灯のフローを示す図である。
【符号の説明】
【００７５】
１０…洗濯機の本体枠、４０…外蓋体、２０…水受外槽、３０…回転洗濯槽、６０…内蓋体、１００…照明手段。
【図１】
2008295941.tif 000003
【図２】
2008295941.tif 000004
【図３】
2008295941.tif 000005
【図４】
2008295941.tif 000006
【図５】
2008295941.tif 000007
【図６】
2008295941.tif 000008
【図７】
2008295941.tif 000009